(57)【要約】      （修正有）【課題】ルアーの飛行時の回転を防止し、飛行姿勢を安定させ飛距離を伸ばし、水中での動きをよりよくしたルアーを提供する。【解決手段】リップ１を本体から分離し、アーム２を介してボディに接続する。リップ１の両脇からアーム２を伸ばし、そのアーム２の先をルアー本体の両側面にビスなどで可動的に取り付け、そこを支点４としてリップ１がフラップ状に動くように構成する。すなわちリップ１の両脇からアーム２を伸ばし、そのアーム２の先端をリング状にする。そのリングの中にビスなどを通し、ビスをボディへと固定することで、ビスを支点４とした回転運動を実現する。【選択図】図１
0003165391.tif 000002
【実用新案登録請求の範囲】
【請求項１】
リップの両脇からアームを伸ばし、そのアームの先をルアー本体の両側面にビスなどで可動的に取り付け、そこを支点としてフラップ状に動くリップを有することを特徴とするルアー。
【請求項２】
リップ上にラインアイを取り付けたことを特徴とする請求項１に記載のルアー。
【考案の詳細な説明】
【技術分野】
【０００１】  本考案は釣り具のルアーに関する。
【背景技術】
【０００２】  本考案は、ミノータイプのルアー、特にリップ付きのミノータイプのルアーを考案の背景技術とする。
【考案の開示】
【考案が解決しようとする課題】
【０００３】  本考案は、ルアーの飛行時の回転を防止し、飛行姿勢を安定させ飛距離を伸ばし、水中での動きをよりよくすることを課題とする。従来のリップ付きミノータイプのルアーにおいては、リップの空気抵抗による飛距離の低減があった。さらに深刻な課題として、シャロークランクタイプのルアーに見られるように、リップの作る空気の流れにより、キャスティング時にルアーが激しく回転を起こすという問題がある。この回転の傾向は、ルアーの長さが短いほど、リップがボディに対して垂直に近いほど強まる。さらにボディが扁平であるとき、この傾向は極めて強い。
リップが固定されている場合、ルアーの水中での動きにも限界がある。
【課題を解決するための手段】
【０００４】  ミノー型のルアーにおいては、リップが本体から突き出る形で固定されていたが、本考案においては、リップ１を本体から分離し、アーム２を介してボディに接続する。リップ１の両脇からアーム２を伸ばし、そのアーム２の先をルアー本体の両側面にビスなどで可動的に取り付け、そこを支点４としてリップ１がフラップ状に動くことにより解決する。
具体的には、図３に示すように、リップ１の両脇からアーム２を伸ばし、そのアーム２の先端をリング状にする。そのリングの中にビスなどを通し、ビスをボディへと固定することで、ビスを支点４とした回転運動が実現する。
【考案の効果】
【０００５】  従来より、飛行時にリップが可動的に折れ畳まるルアーはあるが、本考案はリップの動く支点を、アームの先端とすることで、飛行時のリップの位置を、より理想に近い状態とすることができる。ルアー本体の頭部前方（飛行時には後方）にリップが移動することにより、飛行時にリップが邪魔にならないばかりか、尾翼として有効に作用して、より飛行距離を伸ばす効果がある。水平の姿勢を保ち、滑空する形で飛行させることも可能となる。ルアー本体とのバランスの応じて、リップに飛行機の羽根と同様に凸型の形状を持たせることで、より効果が増す。
ミノー形状のルアーにおいても、その効果は大きいが、ボディ本体が球形に近いずんぐりした形のもの、ポッパーのように頭部が大きなもの、ルアー本体が湾曲したもの、などにおいては、本考案の効果は本質的に必要なものとなる。例えばポッパーにリップに付けた場合、キャスティング時に激しい回転を起こし、実用にならなかった。この回転の現象は、アームによりリップを移動させることで完全に解消することができる。アームのない形でリップだけが折れ曲がっても、回転を防止する効果は完全ではなく、また、飛距離を伸ばす効果は、アームのある形状におよばない。
さらに、リップが可動であるため、水中においてルアーの振動に対応してリップが動くことにより、固定式のリップのルアーよりも、水中でのアクションをより大きく激しくすることができる。特に小さいルアー、重いルアーにおいて、その効果は顕著となる。小さくて重いミノータイプのルアーを激しくアクションさせることは、従来より困難な課題であったが、本考案により、実現することができる。
アームの支点をルアーの目に見立てることで、意匠的に独特なものとなる。ルアーは実用上のことばかりでなく、趣味のものとしてその意匠も重要な要素であり、本考案の機能から派生する独特の意匠も、使う楽しみを増すことに寄与する。
【考案を実施するための最良の形態】
【０００６】  図１に示すように、リップ１の両脇からアーム２を伸ばし、ルアー本体の両側面にアームの先端を支点４として可動的に取り付ける。飛行時には、図２に示すように、リップ１が頭部前方に移動し、ルアーの中心軸とリップ１とが一直線になるような形態が、基本的に最良である。
ルアーの形状、重心の位置などにより、理想的なリップの移動位置はことなり、場合によっては、頭部上方に位置することが、最も安定した飛行姿勢となることもあるが、本考案のアームにより、その姿勢も実現することができる。
ストッパー５を取り付けることで、リトリーブ時のリップの位置を理想的な範囲にとどめる。リトリーブ時と同様に、飛行時のリップの位置を制限するストッパーを設ければ、飛行時および着水時におけるリップの不要な動きを防げる。
【実施例】
【０００７】  図１、図２に示す。ミノータイプの最もスタンダードな形状である。リップ１の両端からアーム２を伸ばし、アーム２の先端をビスなどでルアー本体の両側面に可動的にとりつけ、そこを支点４とする。支点４を回転の中心としてリップ１は動く。【０００８】  図４に示すように、ルアーの頭部をポッパータイプとする。【０００９】  ラインアイ３をルアー本体上に設けるのではなく、リップ上に設ける。こうすることで、リトリーブ時には、ルアーの振動にあわせてリップが動く効果が高まり、ルアーの動きを、より大きく激しくすることができる。
また、ルアー本体上、特に頭部最先端にラインアイを設けた場合、飛行時のリップの移動範囲を制限することとなるが、ラインアイをリップ上に設けることで、リップの可動範囲も大きくなり、理想的な位置への移動が可能となる。【００１０】  リップの両脇に二本のアームを設けることが、構造上、無理のない合理的な形と思われるが、ルアー本体の頭部に溝を設けるなどして、その中にアームを配置することでアームを一本で済ませることも可能である。【００１１】  リップと頭部を一体化して、その頭部を可動式にする。頭部も含めて、可動の部分が大きくなると、効果的ではないが、リップと一体化した頭部が小さい場合には、効果が得られる。【００１２】  ルアー本体上にリップと垂直となるような形でフィンを設ける。このフィンはいわば垂直尾翼として作用すると同時に、リトリーブ時にはルアーの動きをより大きく激しくする効果をもつ。【００１３】  回転ブレード、プロペラなどを付加する。従来のミノータイプのルアーにおいては、回転ブレードやプロペラを付加すると、ルアー本体の水中での動きは大きくそこなわれたが、本考案においてはルアーを力強く動かすことが可能であるため、ルアーの動きが失われることはない。
特に、図５に示すようなユニークなルアーも可能となる。リップが固定式の場合、あるいはアームが無い場合、この形のルアーはキャスティング時に激しく回転してしまい、実用に堪えないが、本考案により、実用的で有効なルアーとなる。【００１４】  アームの先端の取り付け方については、木ネジのようなビス状のものを、アームの先端に設けたリングを通し、ルアー本体に差し込むなどの方法が簡単であるが、他の方法として、Ｕ字型の金具を用い、Ｕ字の一端をリングに通し、他端はリングの外側にくる形でルアー本体に差し込む方法もある。こうすることで他の場所にリップのストッパーを設ける必要はなくなる。【００１５】  ストッパー５を頭部の形状と一体化する。すなわち、頭部下側にストッパーの機能を果たす突起を設けるなどする。【００１６】  リップよりも前方に突き出た頭部の下側を、扁平にするなどして、飛行時にリップが理想的な位置に来るようにする。そうすることで、必ずしもリップが頭部前方に移動せずとも、飛行時の理想的な形が得られる。【００１７】  従来、リップの角度はボディ前方から測って鋭角に配置するのが通常の形であるが、それを鈍角に配置する。
さらに、本考案においては、そのような角度においても、リップを巨大化することが可能となる。ボディ本体よりもリップのほうが大きいような形状も可能である。この形状においてリップが固定された状態では、キャスティング時にルアーが激しく回転してしまい、実用に堪えないが、リップが可動であることにより、またアームにより理想に近い位置にリップが移動することにより、回転しないばかりか、直線的で安定した飛行が実現される。水中においてもリップがひらひらと動く独特のアクションが得られる。【００１８】  リトリーブ時に、リップの位置がボディの上側にくるようにする。この場合も、リップを鈍角に配置することで、安定したアクションが得られる。
【産業上の利用可能性】
【００１９】  アームを伸ばすことによりリップを支点から遠方に配置し、可動範囲を増すという方法は、リップを羽などの空力パーツと見立てるならば、流体力学的な領域において広い利用可能性がありうる。飛行機、ロケットなどの空力的な制御、あるいは自動車、オートバイなどのエアロパーツにおける利用などが考えられる。
【図面の簡単な説明】
【００２０】
【図１】  本考案の斜視図
【図２】  本考案の側面図
【図３】  アーム付きリップの斜視図
【図４】  本考案の実施例の側面図
【図５】  本考案の実施例の側面図
【符号の説明】
【００２１】１  リップ
２  アーム
３  ラインアイ
４  支点
５  ストッパー
【図１】
0003165391.tif 000003
【図２】
0003165391.tif 000004
【図３】
0003165391.tif 000005
【図４】
0003165391.tif 000006
【図５】
0003165391.tif 000007